(57)【要約】【課題】圧縮画像データの符号量を制御して、ディジタル変倍処理や解像度変換処理と画像圧縮で生じる画質の劣化を抑えることができる画像処理方法を提供する。【解決手段】画像入出力システム１００は、画像データを入力するリーダー部２００と、画像データを所定の符号化パラメータで符号化して符号化データを生成し、符号化データを復号化して復号画像データを生成する制御装置１１０と、復号画像データを出力するプリンタ部３００とを備える。この際、符号化データをシステム内のメモリ等に格納し、プリンタ部３００から出力される画像データの出力形式を指定し、その出力形式に基づいて符号化パラメータを決定する。また、当該出力形式に基づいてメモリ等に格納された符号化データを変換して、システム内のメモリ等に格納し、格納された符号化データを復号化する。【選択図】　図１
2004128808.tif 000002
【特許請求の範囲】
【請求項１】
画像データを入力する入力手段と、
前記画像データを所定の符号化パラメータで符号化して符号化データを生成する符号化手段と、
前記符号化データを復号化して復号画像データを生成する復号化手段と、
前記復号画像データを出力する出力手段と
を備える画像処理装置の画像処理方法であって、
前記符号化データを第１の格納手段に格納する第１の格納工程と、
前記出力手段から出力される前記復号画像データの出力形式を指定する指定工程と、
前記指定工程によって指定された前記出力形式に基づいて、前記符号化パラメータを決定する符号化パラメータ決定工程と、
前記指定工程によって指定された前記出力形式に基づいて、前記第１の格納手段に格納された前記符号化データを変換する変換工程と、
前記変換工程で変換された符号化データを第２の格納手段に格納する第２の格納工程と、
前記第２の格納手段に格納された前記符号化データを復号化する復号化工程と
を有することを特徴とする画像処理方法。
【発明の詳細な説明】
【０００１】
【発明の属する技術分野】
本発明は、画像データの圧縮及び伸長を行う画像処理方法に関する。
【０００２】
【従来の技術】
従来から、カラー画像データを取り扱う際には、そのデータ量の大きさが問題となっていた。例えば、白黒画像を表現するために十分な二値画像に対して、ＲＧＢそれぞれ８ビットからなる標準的なカラー画像では、同じ大きさの画像を表すために２４倍のデータ量が必要となってしまう。従って、画像データをハードディスク、メモリ等の記憶装置に保存しておく場合、同じ枚数のカラー画像データを保存しておくためには白黒画像の２４倍の記憶容量が必要になる。
【０００３】
すなわち、単純には、カラー画像を取り扱う際には、白黒画像を取り扱う際の２４倍のメモリ容量及びハードディスク容量が必要になるということであり、このことは大きなコストアップにつながってしまう。そのため、従来から、画像データに圧縮処理を施し、データ容量を小さくすることで機器等に搭載するメモリ及びハードディスクに必要な記憶容量を少なくし、コストアップを抑えるという手法がとられている。
【０００４】
【発明が解決しようとする課題】
しかしながら、画像データの圧縮処理においてＪＰＥＧ等の不可逆圧縮方式を利用した場合、圧縮による画質の劣化が発生し、圧縮率を高める一方で画像劣化が著しくなるという問題があった。また、画像データの拡大・縮小処理を行うためにディジタル変倍処理を行う場合にも、データの補完誤差による画像劣化が発生する。従って、ディジタル変倍を行った画像データに対してさらに不可逆圧縮を施すような場合には、もとの画像データに比して特に大きな画質の劣化が生じてしまうという問題があった。
【０００５】
本発明は、このような事情を考慮してなされたものであり、圧縮画像データの符号量を制御して、ディジタル変倍処理や解像度変換処理と画像圧縮処理で生じる画質の劣化を抑えることができる画像処理方法を提供することを目的とする。
【０００６】
【課題を解決するための手段】
この課題を解決するため本発明は、後述する実施態様に従えば以下の構成を特徴とする。
【０００７】
［発明１］　画像データを入力する入力手段と、
前記画像データを所定の符号化パラメータで符号化して符号化データを生成する符号化手段と、
前記符号化データを復号化して復号画像データを生成する復号化手段と、
前記復号画像データを出力する出力手段と
を備える画像処理装置の画像処理方法であって、
前記符号化データを第１の格納手段に格納する第１の格納工程と、
前記出力手段から出力される前記復号画像データの出力形式を指定する指定工程と、
前記指定工程によって指定された前記出力形式に基づいて、前記符号化パラメータを決定する符号化パラメータ決定工程と、
前記指定工程によって指定された前記出力形式に基づいて、前記第１の格納手段に格納された前記符号化データを変換する変換工程と、
前記変換工程で変換された符号化データを第２の格納手段に格納する第２の格納工程と、
前記第２の格納手段に格納された前記符号化データを復号化する復号化工程と
を有することを特徴とする画像処理方法。
【０００８】
［発明２］　前記変換工程が、
前記第１の格納手段に格納された前記符号化データを復号化して第２の復号化データを生成する第２の復号化工程と、
前記第２の復号化工程で復号化された前記第２の復号化データを前記出力形式に基づいて変換する第２の変換工程と、
前記第２の変換工程で変換された前記第２の復号化データを符号化して符号化データを生成する第２の符号化工程と
を有することを特徴とする発明１記載の画像処理方法。
【０００９】
［発明３］　前記第２の変換工程が、画像回転、画像変倍、色空間変換、又は二値化処理を行って前記第２の復号化データをディジタル変換することを特徴とする発明２記載の画像処理方法。
【００１０】
［発明４］　前記符号化パラメータ決定工程が、前記出力手段から出力される前記復号画像データと前記入力手段から入力される前記画像データとの倍率又は解像度の比率に基づいて前記符号化パラメータを決定することを特徴とする発明１から３までのいずれか１項に記載の画像処理方法。
【００１１】
［発明５］　前記指定工程が、前記出力手段から出力される前記復号画像データの前記出力形式に基づいて、前記入力手段から入力される前記画像データの画像領域を決定し、
前記画像データのうち、前記指定工程によって決定された所定領域のみを前記入力手段に入力させる入力制御工程と
をさらに有することを特徴とする発明１から４までのいずれか１項に記載の画像処理方法。
【００１２】
［発明６］　前記符号化手段に、前記出力形式に基づいて決定された圧縮率の量子化テーブルを用いて、前記画像データを圧縮符号化させる符号化制御工程をさらに有することを特徴とする発明１から５までのいずれか１項に記載の画像処理方法。
【００１３】
［発明７］　前記指定工程が、前記画像データの拡大率と前記復号画像データの出力サイズとを出力形式として指定し、
前記入力制御工程が、前記出力サイズと前記拡大率に基づく前記画像データの領域のみを前記入力手段に等倍率で入力させ、
前記符号化パラメータ決定工程が、前記拡大率に基づいて前記符号化パラメータを決定し、
前記変換工程が、前記拡大率に基づいて符号化データを変換する
ことを特徴とする発明１記載の画像処理方法。
【００１４】
［発明８］　画像データを入力する入力手段と、
前記画像データを所定の符号化パラメータで符号化して符号化データを生成する符号化手段と、
前記符号化データを復号化して復号画像データを生成する復号化手段と、
前記復号画像データを出力する出力手段と
を備える画像処理装置であって、
前記符号化データを格納する第１の格納手段と、
前記出力手段から出力される前記復号画像データの出力形式を指定する指定手段と、
前記指定手段によって指定された前記出力形式に基づいて、前記符号化パラメータを決定する符号化パラメータ決定手段と、
前記指定手段によって指定された前記出力形式に基づいて、前記第１の格納手段に格納された前記符号化データを変換する変換手段と、
前記変換手段で変換された符号化データを格納する第２の格納手段と
をさらに備え、
前記復号化手段が、前記第２の格納手段に格納された前記符号化データを復号化する
ことを特徴とする画像処理装置。
【００１５】
［発明９］　前記変換手段が、
前記第１の格納手段に格納された前記符号化データを復号化して第２の復号化データを生成する第２の復号化手段と、
前記第２の復号化手段で復号化された前記第２の復号化データを前記出力形式に基づいて変換する第２の変換手段と、
前記第２の変換手段で変換された前記第２の復号化データを符号化して符号化データを生成する第２の符号化手段と
を備えることを特徴とする発明８記載の画像処理装置。
【００１６】
［発明１０］　前記第２の変換手段が、画像回転、画像変倍、色空間変換、又は二値化処理を行って前記第２の復号化データをディジタル変換することを特徴とする発明９記載の画像処理装置。
【００１７】
［発明１１］　前記符号化パラメータ決定手段が、前記出力手段から出力される前記復号画像データと前記入力手段から入力される前記画像データとの倍率又は解像度の比率に基づいて前記符号化パラメータを決定することを特徴とする発明８から１０までのいずれか１項に記載の画像処理装置。
【００１８】
［発明１２］　前記指定手段が、前記出力手段から出力される前記復号画像データの前記出力形式に基づいて、前記入力手段から入力される前記画像データの画像領域を決定し、
前記入力手段が、前記画像データのうち、前記指定手段によって決定された前記画像領域のみを入力する
ことを特徴とする発明８から１１までのいずれか１項に記載の画像処理装置。
【００１９】
［発明１３］　前記符号化手段が、前記出力形式に基づいて決定された圧縮率の量子化テーブルを用いて、前記画像データを圧縮符号化することを特徴とする発明８から１２までのいずれか１項に記載の画像処理装置。
【００２０】
［発明１４］　前記指定手段が、前記画像データの拡大率と前記復号画像データの出力サイズとを出力形式として指定し、
前記入力手段が、前記出力サイズと前記拡大率に基づく前記画像データの所定領域のみを等倍率で入力し、
前記符号化パラメータ決定手段が、前記拡大率に基づいて前記符号化パラメータを決定し、
前記変換手段が、前記拡大率に基づいて符号化データを変換する
ことを特徴とする発明８記載の画像処理装置。
【００２１】
［発明１５］　画像データを入力する入力手段と、
前記画像データを所定の符号化パラメータで符号化して符号化データを生成する符号化手段と、
前記符号化データを復号化して復号画像データを生成する復号化手段と、
前記復号画像データを出力する出力手段と
を備えるコンピュータに、
前記符号化データを第１の格納手段に格納する第１の格納手順と、
前記出力手段から出力される前記復号画像データの出力形式を指定する指定手順と、
前記指定手順によって指定された前記出力形式に基づいて、前記符号化パラメータを決定する符号化パラメータ決定手順と、
前記指定手順によって指定された前記出力形式に基づいて、前記第１の格納手段に格納された前記符号化データを変換する変換手順と、
前記変換手順で変換された符号化データを第２の格納手段に格納する第２の格納手順と、
前記第２の格納手段に格納された前記符号化データを復号化する復号化手順と
を実行させるためのプログラム。
【００２２】
［発明１６］　発明１５記載のプログラムを格納することを特徴とするコンピュータ読み取り可能な記録媒体。
【００２３】
上記本発明の構成にかかる理由は以下の記載から明らかになるであろう。
【００２４】
【発明の実施の形態】
以下、図面を参照して、本発明の一実施形態に係る画像入出力システムについて説明する。
【００２５】
＜画像入出力システム全体の説明＞
図１は、本発明の一実施形態に係る画像入出力システム全体の概略構成を示すブロック図である。図１に示すように、画像入出力システム１００において、リーダー部（画像入力装置）２００は、原稿画像を光学的に読み取り、それを画像データに変換する。リーダー部２００は、原稿画像を読み取るための機能を持つスキャナユニット２１０と、原稿用紙を搬送するための機能を持つ原稿給紙ユニット２５０とから構成される。
【００２６】
また、プリンタ部（画像出力装置）３００は、記録紙を搬送し、その上に画像データを可視画像として印字して装置外に排紙する。プリンタ部３００は、複数種類の記録紙カセットを持つ給紙ユニット３６０と、画像データを記録紙に転写し、定着させる機能を持つマーキングユニット３１０と、印字された記録紙をソートし、ステイプルして装置外へ出力する機能を持つ排紙ユニット３７０とで構成される。
【００２７】
制御装置１１０は、リーダー部２００とプリンタ部３００とに電気的に接続され、さらにＬＡＮ等のネットワーク４００を介して、ホストコンピュータ４０１、４０２等に接続されている。制御装置１１０は、リーダー部２００を制御して原稿の画像データを読み込み、プリンタ部３００を制御して画像データを記録用紙に出力してコピー機能を提供する。また、制御装置１１０は、リーダー部２００から読み取った画像データをコードデータに変換し、ネットワーク４００を介してホストコンピュータ４０１、４０２へ送信するスキャナ機能、ホストコンピュータ４０１、４０２からネットワーク４００を介して受信したコードデータを画像データに変換し、プリンタ部３００に出力するプリンタ機能を提供する。
【００２８】
操作部１５０は液晶タッチパネルで構成され、制御装置１１０に接続され、画像入出力システム１００を操作するためのユーザインタフェース（Ｉ／Ｆ）を提供する。
【００２９】
図２は、本実施形態における画像入出力システム１００内のリーダー部２００及びプリンタ部３００の概観図である。リーダー部２００における原稿給送ユニット２５０は、原稿を先頭順に１枚ずつプラテンガラス２１１上へ給送し、原稿の読み取り動作終了後、プラテンガラス２１１上の原稿を排出するものである。原稿がプラテンガラス２１１上に搬送されると、ランプ２１２を点灯し、そして光学ユニット２１３の移動を開始させて、原稿を露光走査する。この時の原稿からの反射光は、ミラー２１４、２１５、２１６及びレンズ２１７によってＣＣＤイメージセンサ（以下、「ＣＣＤ」と称す。）２１８へ導かれる。このように、走査された原稿の画像はＣＣＤ２１８によって読み取られる。
【００３０】
２２２はリーダー画像処理回路部であり、ＣＣＤ２１８から出力される画像データに所定の処理を施し、後述する制御装置１１０内のスキャナＩ／Ｆ１４０を介して制御装置１１０へと出力するところである。尚、リーダー画像処理回路部２２２及び制御装置１１０の詳細については後述する。
【００３１】
３５２はプリンタ画像処理回路部であり、後述する制御装置１１０内のプリンタＩ／Ｆ１４５を介して制御装置１１０から送られる画像信号をレーザドライバへと出力するところである。
【００３２】
プリンタ部３００のレーザドライバ３１７はレーザ発光部３１３、３１４、３１５、３１６を駆動するものであり、プリンタ画像処理部３５２から出力された画像データに応じたレーザ光をレーザ発光部３１３、３１４、３１５、３１６を発光させる。このレーザ光は、ミラー３４０、３４１、３４２、３４３、３４４、３４５、３４６、３４７、３４８、３４９、３５０、３５１によって感光ドラム３２５、３２６、３２７、３２８に照射され、感光ドラム３２５、３２６、３２７、３２８にはレーザ光に応じた潜像が形成される。３２１、３２２、３２３、３２４は、それぞれブラック（Ｂｋ）、イエロー（Ｙ）、シアン（Ｃ）、マゼンダ（Ｍ）のトナーによって、潜像を現像するための現像器であり、現像された各色のトナーは、用紙に転写されフルカラーのプリントアウトが行われる。
【００３３】
用紙カセット３６０、３６１及び手差しトレイ３６２のいずれかより、レーザ光の照射開始と同期したタイミングで給紙された用紙は、レジストローラ３３３を経て、転写ベルト３３４上に吸着され、搬送される。そして、感光ドラム３２５、３２６、３２７、３２８に付着された現像剤を記録紙に転写する。現像剤の乗った記録紙は定着部３３５に搬送され、定着部３３５の熱と圧力により現像剤は記像紙に定着される。定着部３３５を通過した記録紙は排出ローラ３３６によって排出され、排紙ユニット３７０は排出された記録紙を束ねて記録紙の仕分けをしたり、仕分けされた記録紙のステイプルを行う。
【００３４】
また、両面記録が設定されている場合は、排出ローラ３３６のところまで記録紙を搬送した後、排出ローラ３３６の回転方向を逆転させ、フラッパ３３７によって再給紙搬送路３３８へ導く。再給紙搬送路３３８へ導かれた記録紙は上述したタイミングで転写ベルト３３４へ給紙される。
【００３５】
＜リーダー画像処理回路部２２２の説明＞
図４は、本発明の一実施形態におけるリーダー画像処理回路部２２２の詳細な構成を示すブロック図である。リーダー画像処理回路部２２２では、プラテンガラス２１１上の原稿がＣＣＤ２１８に読み取られて電気信号に変換される。尚、本実施形態におけるＣＣＤ２１８は、カラーセンサの場合、ＲＧＢのカラーフィルタが１ラインＣＣＤ上にＲＧＢ順にインラインに乗ったものでも、３ラインＣＣＤで、それぞれＲフィルタ・Ｇフィルタ・ＢフィルタをそれぞれのＣＣＤごとに並べたものでも構わない。また、フィルタがオンチップ化、又は、フィルタがＣＣＤと別構成になったものでも構わない。
【００３６】
そして、その電気信号（アナログ画像信号）がリーダー画像処理回路部２２２に入力されると、まず、クランプ＆Ａｍｐ．＆Ｓ／Ｈ＆Ａ／Ｄ部４０１でサンプルホールド（Ｓ／Ｈ）され、アナログ画像信号のダークレベルを基準電位にクランプし、所定量に増幅され（上記処理順番は表記順とは限らない）、Ａ／Ｄ変換されて、例えばＲＧＢ各８ビットのディジタル信号に変換される。そして、ＲＧＢ信号はシェーディング部４０２で、シェーディング補正及び黒補正が施された後、制御装置１１０へ出力される。
【００３７】
＜制御装置１１０の説明＞
図３は、本発明の一実施形態における制御装置１１０の詳細な構成を示すブロック図である。メインコントローラ１１１は、主にＣＰＵ１１２と、バスコントローラ１１３、各種Ｉ／Ｆコントローラ回路とから構成される。
【００３８】
ＣＰＵ１１２とバスコントローラ１１３は、制御装置１１０全体の動作を制御するものであり、ＣＰＵ１１２はＲＯＭ１１４からＲＯＭ　Ｉ／Ｆ１１５を経由して読み込んだプログラムに基づいて動作する。また、ホストコンピュータ４０１、４０２から受信したＰＤＬ（ページ記述言語）コードデータを解釈し、ラスターイメージデータに展開する動作も、このプログラムに記述されており、ソフトウェアによって処理される。バスコントローラ１１３は各Ｉ／Ｆから入出力されるデータ転送を制御するものであり、バス競合時の調停やＤＭＡデータ転送の制御を行う。
【００３９】
ＤＲＡＭ１１６はＤＲＡＭ　Ｉ／Ｆ１１７によってメインコントローラ１１１と接続されており、ＣＰＵ１１２が動作するためのワークエリアや、画像データを蓄積するためのエリアとして使用される。
【００４０】
Ｃｏｄｅｃ１１８は、ＤＲＡＭ１１６に蓄積されたラスターイメージデータをＭＨ／ＭＲ／ＭＭＲ／ＪＢＩＧ／ＪＰＥＧ等の方式で圧縮する。また逆に、Ｃｏｄｅｃ１１８は、圧縮され蓄積されたコードデータをラスターイメージデータに伸長する。ＳＲＡＭ１１９は、Ｃｏｄｅｃ１１８の一時的なワーク領域として使用される。Ｃｏｄｅｃ１１８は、Ｉ／Ｆ１２０を介してメインコントローラ１１１と接続され、ＤＲＡＭ１１６との間のデータの転送は、バスコントローラ１１３によって制御されＤＭＡ転送される。
【００４１】
グラフィックプロセッサ（Ｇｒａｐｈｉｃ　Ｐｒｏｃｅｓｓｏｒ）１３５は、ＤＲＡＭ１１６に蓄積されたラスターイメージデータに対して、画像回転、画像変倍、色空間変換、二値化の処理をそれぞれ行う。ＳＲＡＭ１３６はグラフィックプロセッサ１３５の一時的なワーク領域として使用される。グラフィックプロセッサ１３５は、Ｉ／Ｆ１３７を介してメインコントローラ１１１と接続され、ＤＲＡＭ１１６との間のデータの転送は、バスコントローラ１１３よって制御されＤＭＡ転送される。
【００４２】
ネットワークコントローラ（Ｎｅｔｗｏｒｋ　Ｃｏｎｔｏｒｌｌｅｒ）１２１は、Ｉ／Ｆ１２３によってメインコントローラ１１１と接続され、コネクタ１２２によって外部ネットワークと接続される。ネットワークの一例としては、一般的にイーサネット（登録商標）が挙げられる。
【００４３】
汎用高速バス１２５には、拡張ボードを接続するための拡張コネクタ１２４とＩ／Ｏ制御部１２６とが接続される。汎用高速バスの一例としては、一般的にＰＣＩバスが挙げられる。
【００４４】
Ｉ／Ｏ制御部１２６には、リーダー部２００、プリンタ部３００の各ＣＰＵと制御コマンドを送受信するためのシリアル通信コントローラ１２７が２チャンネル装備されており、Ｉ／Ｏバス１２８によって外部Ｉ／Ｆ回路（スキャナＩ／Ｆ１４０、プリンタＩ／Ｆ１４５）に接続されている。
【００４５】
パネルＩ／Ｆ１３２は、ＬＣＤコントローラ１３１に接続され、図１に示す操作部１５０上の液晶画面に表示を行うためのＩ／Ｆと、ハードキーやタッチパネルキーの入力を行うためのキー入力Ｉ／Ｆ１３０とから構成される。
【００４６】
図１に示す操作部１５０は、液晶表示部と液晶表示部上に張り付けられたタッチパネル入力装置と、複数個のハードキーを有する。タッチパネル又はハードキーにより入力された信号は、前述したパネルＩ／Ｆ１３２を介してＣＰＵ１１２に伝えられる。尚、操作部１５０の液晶表示部はパネルＩ／Ｆ１３２から送られてきた画像データを表示するものである。また、液晶表示部には、本画像入出力システムの操作に関する機能表示や画像データ等を表示する。
【００４７】
リアルタイムクロックモジュール１３３は、機器内で管理する日付と時刻を更新／保存するためのものであり、バックアップ電池１３４によってバックアップされている。また、Ｅ−ＩＤＥコネクタ１６１は、外部記憶装置を接続するためのものである。本実施形態においては、このＥ−ＩＤＥコネクタ１６１を介してハードディスク（ＨＤ）ドライブ１６０を接続し、ハードディスク（ＨＤ）１６２へ画像データを記憶させたり、ハードディスク１６２から画像データを読み込む動作を行う。
【００４８】
コネクタ１４２、１４７は、それぞれリーダー部２００、プリンタ部３００とに接続されている。コネクタ１４２は、同調歩同期シリアルＩ／Ｆ１４３とビデオＩ／Ｆ１４４に接続し、コネクタ１４７は同調歩同期シリアルＩ／Ｆ１４８とビデオＩ／Ｆ１４９に接続する。
【００４９】
スキャナＩ／Ｆ１４０は、コネクタ１４２を介してリーダー部２００と接続され、また、スキャナバス１４１によってメインコントローラ１１１と接続されており、リーダー部２００から受け取った画像に対して所定の処理を施す機能を有する。また、スキャナＩ／Ｆ１４０は、リーダー部２００から送られたビデオ制御信号をもとに生成した制御信号を、スキャナバス１４１に出力する機能も有する。スキャナバス１４１からＤＲＡＭ１１６へのデータ転送は、バスコントローラ１１３によって制御される。
【００５０】
プリンタＩ／Ｆ１４５は、コネクタ１４７を介してプリンタ部３００と接続され、また、プリンタバス１４６によってメインコントローラ１１１と接続されている。そして、プリンタＩ／Ｆ１４５は、メインコントローラ１１１から出力された画像データに所定の処理を施して、プリンタ部３００へ出力する機能を有する。さらに、プリンタＩ／Ｆ１４５は、プリンタ部３００から送られたビデオ制御信号をもとに生成した制御信号を、プリンタバス１４６に出力する機能も有する。
【００５１】
ＤＲＡＭ１１６上に展開されたラスターイメージデータのプリンタ部３００への転送は、バスコントローラ１１３によって制御され、プリンタバス１４６、ビデオＩ／Ｆ１４９を経由して、プリンタ部３００へＤＭＡ転送される。
【００５２】
＜スキャナＩ／Ｆの画像処理機能の説明＞
ここで、スキャナＩ／Ｆ１４０において画像処理機能を担う部分についての詳細な説明を行う。図６は、制御部１１０内のスキャナＩ／Ｆ１４０における画像処理機能を担う部分の詳細な構成を示すブロック図である。スキャナＩ／Ｆ１４０には、リーダー部２００からコネクタ１４２を介して画像信号が送られてくる。これに対して、スキャナＩ／Ｆ１４０内のつなぎ＆ＭＴＦ補正部６０１では、ＣＣＤ２１８が３ラインＣＣＤの場合、つなぎ処理はライン間の読取位置が異なるため、読み取り速度に応じてライン毎の遅延量を調整し、３ラインの読取位置が同じになるように信号タイミングを補正し、ＭＴＦ補正は読み取り速度によって読み取りのＭＴＦが変るため、その変化を補正する。
【００５３】
そして、読み取り位置タイミングが補正されたディジタル信号は、入力マスキング部６０２によって、ＣＣＤ２１８の分光特性及びランプ２１２及びミラー２１４、２１５、２１６の分光特性を補正する。入力マスキング部６０２の出力は、ＡＣＳ（オートカラーセレクト）カウント部６０３及びメインコントローラ１１１へと送られる。
【００５４】
＜ＡＣＳカウント部６０３の説明＞
図５は、スキャナＩ／Ｆ１４０におけるＡＣＳカウント部６０３の詳細な構成を示すブロック図である。ＡＣＳとは、原稿がカラーであるのか白黒であるのかを判断するものである。すなわち、画素ごとの彩度を求めて、ある閾値以上の画素がどれだけ存在するかでカラー判定を行うものである。しかし、白黒原稿であっても、ＭＴＦ等の影響により、ミクロ的に見るとエッジ周辺に色画素が多数存在し、単純に画素単位でＡＣＳ判定を行うのは難しい。このＡＣＳ手法としてはさまざまな方法が提供されているが、本実施形態では一般的なＡＣＳの手法で説明する。
【００５５】
前述したように、白黒画像でもミクロ的に見ると色画素が多数存在するので、その画素が本当に色画素であるかどうかを注目画素に対して周辺の色画素の情報で判定する必要がある。フィルタ５０１は、色画素かどうかを判定するためのフィルタであり、注目画素に対して周辺画素を参照するためにＦＩＦＯ（Ｆｉｒｓｔ　Ｉｎ
Ｆｉｒｓｔ　Ｏｕｔ：先入れ先出し方式）の構造をとる。
【００５６】
５０２はメインコントローラ１１１からセットされた５０７〜５１０のレジスタに設定された値と、リーダー部２００から送られたビデオ制御信号５１２を元に、ＡＣＳをかける領域信号５０５を作成する領域検出回路である。５０３は、ＡＣＳをかける領域信号５０５に基づき、注目画素に対して５０１のフィルタ内のメモリ内の周辺画素を参照し、注目画素が色画素か白黒画素かを決定するための色判定部である。５０４は、色判定部５０３が出力した色判定信号の個数を数えるカウンタである。
【００５７】
メインコントローラ１１１は、読み込み範囲に対してＡＣＳをかける領域を決定し、５０７〜５１０のレジスタに設定する。尚、本実施形態では、原稿に対して独立で範囲を決める構成をとる。また、メインコントローラ１１１は、ＡＣＳをかける領域内での色判定信号の個数を計数するカウンタの値を、所定の閾値と比較し、当該原稿がカラーであるのか白黒であるのかを判断する。
【００５８】
レジスタ５０７〜５１０には、主走査方向、副走査方向のそれぞれについて、色判定部５０３が判定を開始する位置、判定を終了する位置を、リーダー部２００から送られたビデオ制御信号５１２に基づいて設定しておく。尚、本実施形態では、実際の原稿の大きさよりもそれぞれ１０ｍｍ程度小さめに設定している。
【００５９】
＜プリンタＩ／Ｆ１４５の画像処理機能の説明＞
図７は、制御部１１０内のプリンタＩ／Ｆ１４５における画像処理機能を担う部分の詳細な構成を示すブロック図である。
【００６０】
メインコントローラ１１１から、プリンタバス１４６を介して送られる画像信号は、まずプリンタＩ／Ｆ内のＬＯＧ変換部７０１に入力される。ＬＯＧ変換部７０１では、ＬＯＧ変換でＲＧＢ信号からＣＭＹ信号に変換する。次に、モアレ除去部７０２でモアレが除去される。７０３はＵＣＲ＆マスキング部で、モアレ除去処理されたＣＭＹ信号がＵＣＲ処理でＣＭＹＫ信号が生成され、マスキング処理でプリンタの出力にあった信号に補正される。ＵＣＲ＆マスキング部７０３で処理された信号はγ補正部７０４で濃度調整された後、フィルタ部７０５でスムージング又はエッジ処理される。これらの処理を経て、コネクタ１４７を介してプリンタ部３００へと画像が送られる。
【００６１】
＜グラフィックプロセッサ（Ｇｒａｐｈｉｃ　Ｐｒｏｃｅｓｓｏｒ）１３５の説明＞
図８は、制御部１１０内のグラフィックプロセッサ１３５の詳細な構成を示すブロック図である。グラフィックプロセッサ１３５は、画像回転、画像変倍、色空間変換、二値化の処理をそれぞれ行うモジュールを有する。ＳＲＡＭ１３６は、グラフィックプロセッサ１３５の各々のモジュールの一時的なワーク領域として使用される。各々のモジュールが用いるＳＲＡＭ１３６のワーク領域が競合しないように、あらかじめ各々のモジュールごとにワーク領域が静的に割り当てられているものとする。グラフィックプロセッサ１３５は、Ｉ／Ｆ１３７を介してメインコントローラ１１１と接続され、ＤＲＡＭ１１６との間のデータの転送は、バスコントローラ１１３によって制御されＤＭＡ転送される。
【００６２】
バスコントローラ１１３は、グラフィックプロセッサ１３５の各々のモジュールにモード等を設定する制御、及び、各々のモジュールに画像データを転送するためのタイミング制御を行う。
【００６３】
＜画像回転部８０１の説明＞
次に、グラフィックプロセッサ１３５における画像回転部８０１における処理について説明する。まず、Ｉ／Ｆ１３７を介して、ＣＰＵ１１２からバスコントローラ１１３に画像回転制御のための設定を行う。この設定により、バスコントローラ１１３は、画像回転部８０１に対して画像回転に必要な設定（例えば、画像サイズや回転方向・角度等）を行う。必要な設定を行った後に、再度ＣＰＵ１１２からバスコントローラ１１３に対して画像データ転送の許可を行う。この許可に従い、バスコントローラ１１３はＤＲＡＭ１１６若しくは各Ｉ／Ｆを介して接続されているデバイスから画像データの転送を開始する。
【００６４】
図９は、グラフィックプロセッサ１３５内の画像回転部８０１で転送される画像データを説明するための図である。尚、ここでは回転を行う画像サイズを３２画素×３２ラインとし、画像バス上に画像データを転送させる際に２４バイト（ＲＧＢ各々８ビットで１画素分）を単位とする画像転送を行うものとする。
【００６５】
上述のように、３２画素×３２ラインの画像を得るためには、上述の単位データ転送を３２×３２回行う必要があり、且つ、不連続なアドレスから画像データを転送する必要がある。
【００６６】
不連続アドレッシングにより転送された画像データは、読み出し時に所望の角度に回転されているように、ＳＲＡＭ１３６に書き込まれる。図１０は、グラフィックプロセッサ１３５内の画像回転部８０１における画像データの回転を説明するための図である。例えば、９０度反時計方向回転であれば、転送される画像データを、図１０に示すようにＹ方向に書き込んでいく。そして、読み出し時にＸ方向に読み出すことで、画像が回転される。
【００６７】
３２画素×３２ラインの画像回転（ＳＲＡＭ１３６への書き込み）が完了した後、画像回転部８０１はＳＲＡＭ１３６から上述した読み出し方法で画像データを読み出し、バスコントローラ１１３に画像を転送する。
【００６８】
回転処理された画像データを受け取ったバスコントローラ１１３は、連続アドレッシングを以て、ＤＲＡＭ１１６若しくはＩ／Ｆ上の各デバイスにデータを転送する。上述した一連の処理は、ＣＰＵ１１２からの処理要求がなくなるまで（必要なページ数の処理が終わるまで）繰り返される。
【００６９】
＜画像変倍部８０２の説明＞
次に、グラフィックプロセッサ１３５における画像変倍部８０２における処理手順を示す。まず、Ｉ／Ｆ１３７を介して、ＣＰＵ１１２からバスコントローラ１１３に画像変倍制御のための設定を行う。この設定によりバスコントローラ１１３は、画像変倍部８０２に対して画像変倍に必要な設定（主走査方向の変倍率、副走査方向の変倍率、変倍後の画像サイズ等）を行う。必要な設定を行った後に、再度ＣＰＵ１１２からバスコントローラ１１３に対して画像データ転送の許可を行う。この許可に従い、バスコントローラ１１３はＤＲＡＭ１１６若しくは各Ｉ／Ｆを介して接続されているデバイスから画像データの転送を開始する。
【００７０】
画像変倍部８０２は、受け取った画像データを一時ＳＲＡＭ１３６に格納し、これを入力バッファとして用いて、格納したデータに対して主走査、副走査の変倍率に応じて必要な画素数、ライン数の分の補間処理を行って画像を拡大若しくは縮小することで、変倍処理とする。変倍後のデータは再度ＳＲＡＭ１３６へ書き戻し、これを出力バッファとして画像変倍部８０２はＳＲＡＭ１３６から画像データを読み出し、バスコントローラ１１３に転送する。変倍処理された画像データを受け取ったバスコントローラ１１３は、ＤＲＡＭ１１６若しくはＩ／Ｆ上の各デバイスにデータを転送する。
【００７１】
＜色空間変換部８０３の説明＞
次に、色空間変換部８０３における処理手順を示す。Ｉ／Ｆ１３７を介して、ＣＰＵ１１２からバスコントローラ１１３に色空間変換制御のための設定を行う。この設定によりバスコントローラ１１３は色空間変換部８０３及びＬＵＴ（ルック・アップ・テーブル）８０４に対して色空間変換処理に必要な設定（後述のマトリックス演算の係数、ＬＵＴ８０４のテーブル値等）を行う。
【００７２】
必要な設定を行った後に、再度ＣＰＵ１１２からバスコントローラ１１３に対して画像データ転送の許可を行う。この許可に従い、バスコントローラ１１３はＤＲＡＭ１１６若しくは各Ｉ／Ｆを介して接続されているデバイスから画像データの転送を開始する。
【００７３】
色空間変換部８０３は、受け取った画像データ１画素ごとに対して、次式で表される３×３のマトリックス演算を施す。
【００７４】
【数１】
2004128808.tif 000003
【００７５】
上式において、Ｒ、Ｇ、Ｂが入力、Ｘ、Ｙ、Ｚが出力、ａ１１、ａ１２、ａ１３、ａ２１、ａ２２、ａ２３、ａ３１、ａ３２、ａ３３、ｂ１、ｂ２、ｂ３、ｃ１、ｃ２、ｃ３がそれぞれ係数である。
【００７６】
上式の演算によって、例えば、ＲＧＢ色空間からＹｕｖ色空間への変換等の各種の色空間変換を行うことができる。
【００７７】
次に、マトリックス演算後のデータに対して、ＬＵＴ８０４による変換を行う。これによって、非線形の変換を行うことができる。尚、スルーのテーブルを設定することにより、実質的にＬＵＴ変換を行わないようにすることもできる。その後、色空間変換部８０３は、色空間変換処理された画像データをバスコントローラ１１３に転送する。色空間変換処理された画像データを受け取ったバスコントローラ１１３は、ＤＲＡＭ１１６若しくはＩ／Ｆ上の各デバイスにデータを転送する。
【００７８】
＜画像二値化部８０５の説明＞
次に、画像二値化部８０５における処理手順を示す。Ｉ／Ｆ１３７を介して、ＣＰＵ１１２からバスコントローラ１１３に二値化制御のための設定を行う。この設定によりバスコントローラ１１３は、画像二値化部８０５に対して二値化処理に必要な設定（変換方法に応じた各種パラメータ等）を行う。必要な設定を行った後に、再度ＣＰＵ１１２からバスコントローラ１１３に対して画像データ転送の許可を行う。この許可に従い、バスコントローラ１１３はＤＲＡＭ１１６若しくは各Ｉ／Ｆを介して、接続されているデバイスから画像データの転送を開始する。
【００７９】
画像二値化部８０５は、受け取った画像データに対して二値化処理を施す。本実施形態では、二値化の手法として画像データを所定の閾値と比較して単純に二値化するものとする。尚、ディザ法、誤差拡散法、誤差拡散法を改良したもの等のいずれの手法によってもかまわない。
【００８０】
その後、画像二値化部８０５は二値化処理された画像データをバスコントローラ１１３に転送する。二値化処理された画像データを受け取ったバスコントローラ１１３は、ＤＲＡＭ１１６若しくはＩ／Ｆ上の各デバイスにデータを転送する。
【００８１】
＜ＰＤＬ画像出力時のシーケンスの説明＞
図１１は、本発明の一実施形態における画像入出力システム１００でのＰＤＬ画像出力の手順を説明するためのフローチャートである。ＰＤＬ画像を出力する場合、まず、ＰＣ４０１上でユーザが当該ＰＤＬ画像出力ジョブのプリント設定を行う（ステップＳ１１１）。ここで、プリント設定内容は、部数、用紙サイズ、片面／両面、ページ出力順序、ソート出力、ステイプル止めの有無等である。
【００８２】
次に、ＰＣ４０１上で印刷指示を与え、それと共にＰＣ４０１上にインストールされているドライバソフトウェアが、印刷対象となるＰＣ４０１上のコードデータをいわゆるＰＤＬデータに変換して、ステップＳ１１１で設定したプリント設定パラメータとともに、画像入出力システム１００の制御装置１１０に、ネットワーク４００を介してＰＤＬデータを転送する（ステップＳ１１２）。
【００８３】
さらに、制御装置１１０のメインコントローラ１１１のＣＰＵ１１２が、コネクタ１２２及びネットワークコントローラ１２１を介して転送されたＰＤＬデータをプリント設定パラメータに基づいて、画像データに展開（ラスタライズ）する（ステップＳ１１３）。画像データの展開は、ＤＲＡＭ１１６上に行われる。画像データの展開が完了するとステップＳ１１４へ進む。
【００８４】
ステップＳ１１４では、メインコントローラ１１１がＤＲＡＭ１１６上に展開された画像データをグラフィックプロセッサ１３５に転送する。
【００８５】
次いで、グラフィックプロセッサ１３５が、プリント設定パラメータとは独立に画像処理を行う（ステップＳ１１５）。すなわち、本実施形態に係る画像入出力システム１００では、グラフィックプロセッサ１３５による画像変換処理が、画像回転、画像変倍、色空間変換、又は二値化処理を行って復号化データをディジタル変換することを特徴とする。
例えば、プリント設定パラメータで指定された用紙サイズがＡ４であるにもかかわらず、プリンタ部３００の給紙ユニット３６０にはＡ４Ｒ用紙しかない場合には、グラフィックプロセッサ１３５で画像を９０度回転することによって、出力用紙にあわせた画像出力を行うことができる。画像データの画像処理が完了するとステップＳ１１６へ進む。
【００８６】
ステップＳ１１６では、グラフィックプロセッサ１３５がメインコントローラ１１１へ画像処理後の画像データを転送する。メインコントローラ１１１は転送されてきた画像データをＤＲＡＭ１１６上に記憶する。
【００８７】
次いで、メインコントローラ１１１はプリンタＩ／Ｆ１４５及びコネクタ１４７を介して、プリンタ部３００を制御しつつ、適切なタイミングでＤＲＡＭ１１６上の画像データを、プリンタ部３００へと転送する（ステップＳ１１７）。
【００８８】
そして、制御装置１１０がプリンタ部３００を制御して、画像データをプリント出力する（ステップＳ１１８）。画像データの転送が完了すると（すなわち、当該ＰＤＬジョブが終了すると）プリント出力を終了する。
【００８９】
＜コピー画像出力時のシーケンス＞
図１２は、本発明の一実施形態に係る画像入出力システム１００におけるコピー画像出力の手順を説明するためのフローチャートである。コピー画像を出力する場合、操作部１５０上でユーザが当該コピー画像出力ジョブのコピー設定を行う（ステップＳ１２１）。コピー設定内容は、部数、用紙サイズ、片面／両面、拡大／縮小率、ソート出力、ステイプル止めの有無等である。
【００９０】
次に、操作部１５０上でコピー開始指示を与えると、制御装置１１０のメインコントローラ１１１はスキャナＩ／Ｆ１４０及びコネクタ１４２を介してリーダー部２００を制御し、原稿の画像データの読み込み動作を行う。まず、原稿給送ユニット２５０は、載置された原稿を１枚ずつプラテンガラス２１１上へ給送し、その際同時に原稿のサイズを検知する。検知された原稿のサイズに基づいて原稿を露光走査することにより画像データを読み取る。読み取られた画像データは、ＤＲＡＭ１１６上に記憶される（ステップＳ１２２）。
【００９１】
従来のコピー機では、コピー設定における拡大／縮小率の設定に応じて、すなわち副走査方向の変倍率に応じて光学ユニット２１３の移動速度を変化させることにより副走査方向の変倍処理を実現していた。しかしながら、本実施形態では、コピー設定における拡大／縮小率の設定にかかわらず、必ず等倍（１００パーセント）で画像データを読み取り、変倍処理については、主走査方向、副走査方向ともに、後述するグラフィックプロセッサ１３５によって行うものとする。
【００９２】
次いで、メインコントローラ１１１がＤＲＡＭ１１６上の画像データを、グラフィックプロセッサ１３５に転送する（ステップＳ１２３）。
【００９３】
さらに、グラフィックプロセッサ１３５が、コピー設定パラメータに基づいて画像処理を行う（ステップＳ１２４）。例えば、拡大４００パーセントの設定がなされているときには、グラフィックプロセッサ１３５内のモジュールである画像変倍部８０２を用いて主走査方向、副走査方向、双方への変倍処理を行う。画像データの画像処理が完了するとステップＳ１２５へ進む。
【００９４】
ステップＳ１２５では、グラフィックプロセッサ１３５がメインコントローラ１１１へ画像処理後の画像データを転送する。メインコントローラ１１１は転送されてきた画像データをＤＲＡＭ１１６上に記憶する。
【００９５】
さらに、メインコントローラ１１１は、プリンタＩ／Ｆ１４５及びコネクタ１４７を介して、プリンタ部３００を制御しつつ、適切なタイミングでＤＲＡＭ１１６上の画像データをプリンタ部３００へと転送する（ステップＳ１２６）。
【００９６】
そして、制御装置１１０が、プリンタ部３００を制御して画像データをプリント出力する（ステップＳ１２７）。画像データの転送が完了すると（すなわち、当該コピージョブが終了すると）プリント出力を終了する。
【００９７】
＜変倍率に応じた読み取り領域の決定と符号化パラメータ選択の説明＞
図１３は、等倍（１００パーセント）コピー時の画像処理の概略を示すブロック図である。Ａ４サイズ原稿５１０８をスキャナ５１０１で読み取った画像データは、ＪＰＥＧエンコーダ５１０２に入力されてリアルタイム圧縮が施される。エンコーダ５１０２で符号化する際には、目標とする圧縮率に対応する符号化パラメータ５１０６がエンコーダ５１０２に入力される。圧縮された符号データ５１０９は、符号メモリ５１０３に蓄積される。
【００９８】
次に、符号データ５１０９をＪＰＥＧデコーダ５１０４へ入力し、デコードされた画像データ５１１０がプリンタ５１０５へ入力され、Ａ４用紙に出力される。図１４は、本発明の一実施形態に係るＪＰＥＧ量子化テーブルの一例を示す図である。図１４（ａ）は、符号化パラメータ５１０６、５１０７として用いるＪＰＥＧの量子化テーブルの例である。この例では、システムのデフォルトの目標圧縮率を１／３２に設定しており、原画像に対して符号化後の符号データサイズが１／３２以下になるように符号メモリ５１０３の容量を確保している。
【００９９】
図１５は、本発明の一実施形態における２００パーセント拡大コピーの原稿とコピー出力の関係を示す図である。原稿５００１は、Ａ４原稿を表から見た図であり、スキャン時はこの原稿上面を下向きにプラテンガラス２１１に置き、原稿右上が原稿台突き当て位置に載置される。本実施形態では、原稿５００１を主走査、副走査ともに２００パーセント拡大して、Ａ４用紙にコピーする例であるため、出力画像領域に対応する原稿中の灰色部のみをスキャナで読み取り、２００パーセント拡大した画像を出力する。このときの出力用紙イメージがコピー出力５００３である。
【０１００】
すなわち、本実施形態に係る画像入出力システム１００では、プリンタ部３００から出力される復号化された画像データとリーダー部２００から入力される画像データとの倍率又は解像度の比率に基づいて制御装置１１０で当該画像データを符号化する際の符号化パラメータを決定することを特徴とする。
【０１０１】
また、本実施形態に係る画像入出力システム１００内の制御装置１１０では、プリンタ部３００から出力される復号化された画像データの出力形式に基づいて、リーダー部２００から入力される画像データの画像領域を決定し、リーダー部２００が、画像データのうち、決定された画像領域のみを入力することを特徴とする。
【０１０２】
図１６は、本発明の一実施形態における２００パーセント拡大コピー時の画像処理の概略を示すブロック図である。図１６は、Ａ４原稿を２００パーセント拡大してＡ４用紙へ出力する例を示している。本実施形態では、スキャン時の光学変倍は行わずに、ディジタル変倍処理による拡大を行っている。Ａ４サイズ原稿５２１４中、出力される灰色部分のみをスキャナ５２０１で読み取り、エンコーダ５２０２でＪＰＥＧ圧縮後、入力画像５２１５は、符号メモリ５２０３に格納される。
【０１０３】
その後、２００パーセント拡大処理を行うため、ＪＰＥＧ画像データ５２１５は、ＪＰＥＧデコーダ５２０４で復号され、ディジタル変倍ユニット５２０５へ入力され、２００パーセント拡大処理が行われる。拡大後のデータが再びエンコーダ５２０６へ入力され、ＪＰＥＧ圧縮されて符号メモリ５２０７へと格納される。そして、２００パーセント拡大されたＪＰＥＧ画像データ５２１６は、デコーダ５２０８を介して、プリンタ５２０９へ出力される。
【０１０４】
すなわち、本実施形態に係る画像入出力システム１００は、画像データを入力するリーダー部２００と、画像データを所定の符号化パラメータで符号化して符号化データを生成し、符号化データを復号化して復号画像データを生成する制御装置１１０と、復号画像データを出力するプリンタ部３００とを備える。そして、符号化データをシステム内のメモリ等に格納し、プリンタ部３００から出力される復号画像データの出力形式を指定し、指定された出力形式に基づいて、符号化パラメータを決定する。また、指定された出力形式に基づいて、メモリ等に格納された符号化データを変換し、変換された符号化データをシステム内のメモリ等に格納し、格納された符号化データを復号化する。
【０１０５】
また、本実施形態に係る画像入出力システムは、符号化データの変換に際して、メモリ等に格納された符号化データを復号化して一旦復号化データを生成し、その復号化データを出力形式に基づいて変換して、変換された復号化データを符号化して符号化データを生成することを特徴とする。
【０１０６】
次に、図１６に示すブロック図内のエンコーダ、デコーダに入力される符号化パラメータについて説明する。ここで、システムのデフォルトの目標圧縮率は１／３２とする。まず、エンコーダ５２０２に設定する符号化パラメータには、図１４（ｂ）の１／８圧縮の量子化テーブルを用いる。そして、スキャナからＡ４原稿５２１４の１／４サイズの領域（灰色部分）を等倍で読み込む。すなわち、メモリに取り込まれる画像サイズが、Ａ４に対して面積比で１／４となる。従って、目標圧縮率が１／８の量子化テーブルを用いることで、必要となるメモリ容量をＡ４サイズで１／３２圧縮した容量に収まるようにした。また、実際には１／８圧縮のため、通常の１／３２圧縮による場合よりも画像劣化を低く抑えることができる。
【０１０７】
すなわち、本実施形態に係る画像入出力システム１００では、出力形式に基づいて決定された圧縮率の量子化テーブルを用いて、画像データを圧縮符号化することを特徴とする。
【０１０８】
目標圧縮率１／８の量子化テーブルで圧縮されたＪＰＥＧデータを復号するための符号化パラメータ５２１１には、図１４（ｂ）の１／８圧縮の量子化テーブルを設定する。次に、２００パーセント変倍後の画像が入力されるエンコーダ５２０６に設定する符号化パラメータ５２１２には、図１４（ａ）の１／３２圧縮の量子化テーブルを用いる。これは、拡大後の画像は、画素数（面積）でＡ４サイズと等しくなるため、システムデフォルトの１／３２圧縮のパラメータを適用するためである。同様に、符号化パラメータ５２１３には、１／３２圧縮の量子化テーブルを用いる。
【０１０９】
すなわち、本実施形態に係る画像入出力システム１００では、入力される画像データの拡大率と出力される画像データの出力サイズとを出力形式として指定し、リーダー部２００が、出力サイズと拡大率に基づく画像データの所定領域のみを等倍率で入力し、制御装置１１０で拡大率に基づいて符号化パラメータを決定し、拡大率に基づいて符号化データを変換することを特徴とする。
【０１１０】
＜その他の実施形態＞
尚、本発明は、複数の機器（例えば、ホストコンピュータ、インタフェース機器、リーダ、プリンタ等）から構成されるシステムに適用しても、一つの機器からなる装置（例えば、複写機、ファクシミリ装置等）に適用してもよい。
【０１１１】
また、本発明の目的は、前述した実施形態の機能を実現するソフトウェアのプログラムコードを記録した記録媒体（または記憶媒体）を、システムあるいは装置に供給し、そのシステムあるいは装置のコンピュータ（またはＣＰＵやＭＰＵ）が記録媒体に格納されたプログラムコードを読み出し実行することによっても、達成されることは言うまでもない。この場合、記録媒体から読み出されたプログラムコード自体が前述した実施形態の機能を実現することになり、そのプログラムコードを記録した記録媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【０１１２】
さらに、記録媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【０１１３】
本発明を上記記録媒体に適用する場合、その記録媒体には、先に説明したフローチャートに対応するプログラムコードが格納されることになる。
【０１１４】
【発明の効果】
以上説明したように、本発明によれば、装置に搭載されているメモリ等を効率的に利用することにより、圧縮画像データの符号量を制御して、ディジタル変倍処理や解像度変換処理と画像圧縮で生じる画質の劣化を抑えることができる。
【図面の簡単な説明】
【図１】本発明の一実施形態に係る画像入出力システム全体の概略構成を示すブロック図である。
【図２】同実施形態における画像入出力システム１００内のリーダー部２００及びプリンタ部３００の概観図である。
【図３】本発明の一実施形態における制御装置１１０の詳細な構成を示すブロック図である。
【図４】本発明の一実施形態におけるリーダー画像処理回路部２２２の詳細な構成を示すブロック図である。
【図５】制御部１１０内のスキャナＩ／Ｆ１４０におけるＡＣＳカウント部６０３の詳細な構成を示すブロック図である。
【図６】制御部１１０内のスキャナＩ／Ｆ１４０における画像処理機能を担う部分の詳細な構成を示すブロック図である。
【図７】制御部１１０内のプリンタＩ／Ｆ１４５における画像処理機能を担う部分の詳細な構成を示すブロック図である。
【図８】制御部１１０内のグラフィックプロセッサ１３５の詳細な構成を示すブロック図である。
【図９】グラフィックプロセッサ１３５内の画像回転部８０１で転送される画像データを説明するための図である。
【図１０】グラフィックプロセッサ１３５内の画像回転部８０１における画像データの回転を説明するための図である。
【図１１】本発明の一実施形態における画像入出力システム１００でのＰＤＬ画像出力の手順を説明するためのフローチャートである。
【図１２】本発明の一実施形態に係る画像入出力システム１００におけるコピー画像出力の手順を説明するためのフローチャートである。
【図１３】等倍（１００パーセント）コピー時の画像処理の概略を示すブロック図である。
【図１４】本発明の一実施形態に係るＪＰＥＧ量子化テーブルの一例を示す図である。
【図１５】本発明の一実施形態における２００パーセント拡大コピー時の画像処理の概略を示すブロック図である。
【図１６】本発明の一実施形態における２００パーセント拡大コピー時の画像処理の概略を示すブロック図である。
【符号の説明】
１００　画像入出力システム
１１０　制御装置
１５０　操作部
２００　リーダー部
２１０　スキャナユニット
２５０　原稿給紙ユニット
３００　プリンタ部
３１０　マーキングユニット
３６０　給紙ユニット
３７０　排紙ユニット
【図１】
2004128808.tif 000004
【図２】
2004128808.tif 000005
【図３】
2004128808.tif 000006
【図４】
2004128808.tif 000007
【図５】
2004128808.tif 000008
【図６】
2004128808.tif 000009
【図７】
2004128808.tif 000010
【図８】
2004128808.tif 000011
【図９】
2004128808.tif 000012
【図１０】
2004128808.tif 000013
【図１１】
2004128808.tif 000014
【図１２】
2004128808.tif 000015
【図１３】
2004128808.tif 000016
【図１４】
2004128808.tif 000017
【図１５】
2004128808.tif 000018
【図１６】
2004128808.tif 000019
【手続補正書】
【提出日】平成15年11月21日(2003.11.21)
【手続補正２】
【補正対象書類名】明細書
【補正対象項目名】特許請求の範囲
【補正方法】変更
【補正の内容】
【特許請求の範囲】
【請求項１】
画像データを入力する入力手段と、
前記画像データを所定の符号化パラメータで符号化して符号化データを生成する符号化手段と、
前記符号化データを復号化して復号画像データを生成する復号化手段と、
前記復号画像データを出力する出力手段と
を備える画像処理装置の画像処理方法であって、
前記符号化データを第１の格納手段に格納する第１の格納工程と、
前記出力手段から出力される前記復号画像データの出力形式を指定する指定工程と、
前記指定工程によって指定された前記出力形式に基づいて、前記符号化パラメータを決定する符号化パラメータ決定工程と、
前記指定工程によって指定された前記出力形式に基づいて、前記第１の格納手段に格納された前記符号化データを変換する変換工程と、
前記変換工程で変換された符号化データを第２の格納手段に格納する第２の格納工程と、
前記第２の格納手段に格納された前記符号化データを復号化する復号化工程と
を有することを特徴とする画像処理方法。
【請求項２】
前記変換工程が、
前記第１の格納手段に格納された前記符号化データを復号化して第２の復号化データを生成する第２の復号化工程と、
前記第２の復号化工程で復号化された前記第２の復号化データを前記出力形式に基づいて変換する第２の変換工程と、
前記第２の変換工程で変換された前記第２の復号化データを符号化して符号化データを生成する第２の符号化工程と
を有することを特徴とする請求項１に記載の画像処理方法。
【請求項３】
前記第２の変換工程が、画像回転、画像変倍、色空間変換、又は二値化処理を行って前記第２の復号化データをディジタル変換することを特徴とする請求項２に記載の画像処理方法。
【請求項４】
前記符号化パラメータ決定工程が、前記出力手段から出力される前記復号画像データと前記入力手段から入力される前記画像データとの倍率又は解像度の比率に基づいて前記符号化パラメータを決定することを特徴とする請求項１から３までのいずれか１項に記載の画像処理方法。
【請求項５】
前記指定工程が、前記出力手段から出力される前記復号画像データの前記出力形式に基づいて、前記入力手段から入力される前記画像データの画像領域を決定し、
前記画像データのうち、前記指定工程によって決定された所定領域のみを前記入力手段に入力させる入力制御工程と
をさらに有することを特徴とする請求項１から４までのいずれか１項に記載の画像処理方法。
【請求項６】
前記符号化手段に、前記出力形式に基づいて決定された圧縮率の量子化テーブルを用いて、前記画像データを圧縮符号化させる符号化制御工程をさらに有することを特徴とする請求項１から５までのいずれか１項に記載の画像処理方法。
【請求項７】
前記指定工程が、前記画像データの拡大率と前記復号画像データの出力サイズとを出力形式として指定し、
前記入力制御工程が、前記出力サイズと前記拡大率に基づく前記画像データの領域のみを前記入力手段に等倍率で入力させ、
前記符号化パラメータ決定工程が、前記拡大率に基づいて前記符号化パラメータを決定し、
前記変換工程が、前記拡大率に基づいて符号化データを変換する
ことを特徴とする請求項１に記載の画像処理方法。
【請求項８】
画像データを入力する入力手段と、
前記画像データを所定の符号化パラメータで符号化して符号化データを生成する符号化手段と、
前記符号化データを復号化して復号画像データを生成する復号化手段と、
前記復号画像データを出力する出力手段と
を備える画像処理装置であって、
前記符号化データを格納する第１の格納手段と、
前記出力手段から出力される前記復号画像データの出力形式を指定する指定手段と、
前記指定手段によって指定された前記出力形式に基づいて、前記符号化パラメータを決定する符号化パラメータ決定手段と、
前記指定手段によって指定された前記出力形式に基づいて、前記第１の格納手段に格納された前記符号化データを変換する変換手段と、
前記変換手段で変換された符号化データを格納する第２の格納手段と
をさらに備え、
前記復号化手段が、前記第２の格納手段に格納された前記符号化データを復号化する
ことを特徴とする画像処理装置。
【請求項９】
前記変換手段が、
前記第１の格納手段に格納された前記符号化データを復号化して第２の復号化データを生成する第２の復号化手段と、
前記第２の復号化手段で復号化された前記第２の復号化データを前記出力形式に基づいて変換する第２の変換手段と、
前記第２の変換手段で変換された前記第２の復号化データを符号化して符号化データを生成する第２の符号化手段と
を備えることを特徴とする請求項８に記載の画像処理装置。
【請求項１０】
前記第２の変換手段が、画像回転、画像変倍、色空間変換、又は二値化処理を行って前記第２の復号化データをディジタル変換することを特徴とする請求項９に記載の画像処理装置。
【請求項１１】
前記符号化パラメータ決定手段が、前記出力手段から出力される前記復号画像データと前記入力手段から入力される前記画像データとの倍率又は解像度の比率に基づいて前記符号化パラメータを決定することを特徴とする請求項８から１０までのいずれか１項に記載の画像処理装置。
【請求項１２】
前記指定手段が、前記出力手段から出力される前記復号画像データの前記出力形式に基づいて、前記入力手段から入力される前記画像データの画像領域を決定し、
前記入力手段が、前記画像データのうち、前記指定手段によって決定された前記画像領域のみを入力する
ことを特徴とする請求項８から１１までのいずれか１項に記載の画像処理装置。
【請求項１３】
前記符号化手段が、前記出力形式に基づいて決定された圧縮率の量子化テーブルを用いて、前記画像データを圧縮符号化することを特徴とする請求項８から１２までのいずれか１項に記載の画像処理装置。
【請求項１４】
前記指定手段が、前記画像データの拡大率と前記復号画像データの出力サイズとを出力形式として指定し、
前記入力手段が、前記出力サイズと前記拡大率に基づく前記画像データの所定領域のみを等倍率で入力し、
前記符号化パラメータ決定手段が、前記拡大率に基づいて前記符号化パラメータを決定し、
前記変換手段が、前記拡大率に基づいて符号化データを変換する
ことを特徴とする請求項８に記載の画像処理装置。
【請求項１５】
画像データを入力する入力手段と、
前記画像データを所定の符号化パラメータで符号化して符号化データを生成する符号化手段と、
前記符号化データを復号化して復号画像データを生成する復号化手段と、
前記復号画像データを出力する出力手段と
を備えるコンピュータに、
前記符号化データを第１の格納手段に格納する第１の格納手順と、
前記出力手段から出力される前記復号画像データの出力形式を指定する指定手順と、
前記指定手順によって指定された前記出力形式に基づいて、前記符号化パラメータを決定する符号化パラメータ決定手順と、
前記指定手順によって指定された前記出力形式に基づいて、前記第１の格納手段に格納された前記符号化データを変換する変換手順と、
前記変換手順で変換された符号化データを第２の格納手段に格納する第２の格納手順と、
前記第２の格納手段に格納された前記符号化データを復号化する復号化手順と
を実行させるためのプログラム。
【請求項１６】
請求項１５に記載のプログラムを格納したことを特徴とするコンピュータ読み取り可能な記録媒体。
【手続補正３】
【補正対象書類名】明細書
【補正対象項目名】０００１
【補正方法】変更
【補正の内容】
【０００１】
【発明の属する技術分野】
本発明は、画像データの圧縮及び伸長を行う画像処理方法及び画像処理装置に関する。


【手続補正４】
【補正対象書類名】明細書
【補正対象項目名】０００５
【補正方法】変更
【補正の内容】
【０００５】
本発明は、このような事情を考慮してなされたものであり、圧縮画像データの符号量を制御して、ディジタル変倍処理や解像度変換処理と画像圧縮処理で生じる画質の劣化を抑えることができる画像処理方法及び画像処理装置を提供することを目的とする。